(57)【特許請求の範囲】
【請求項１】
ホルダの頭部に設けた支持部と、刃体を組み付けた剃刀ヘッドに設けた被支持部との間に弾性部を介在させて、この弾性部により被支持部を支持部に支持し、
この弾性部は、前記頭部の支持部に支持された環状外周部を有しているとともに、その環状外周部よりも内側で交差する軸線に沿って延びる延設部を有する剃刀ヘッドの被支持部を支持し、この延設部の延設方向に沿う軸線の方向とその軸線に交差する方向へ移動して撓み、
この剃刀ヘッドは前記弾性部により付勢されて静止する中立位置に対しその弾性部の付勢力に抗して移動した移動位置を取り得る
ことを特徴とする首振り式剃刀。
【請求項２】
前記頭部の支持部は環状に配設された環状部を有し、前記弾性部はこの支持部の環状部の内周と前記被支持部の延設部の外周との間の支持孔にその内周及び外周に沿って環状に配設された環状部を有していることを特徴とする請求項１に記載の首振り式剃刀。
【請求項３】
前記弾性部の環状部は剃刀ヘッドの中立位置で前記支持孔内に配置されていることを特徴とする請求項２に記載の首振り式剃刀。
【請求項４】
前記剃刀ヘッドにおいて、被支持部は、刃体を組み付けた刃体組付部から延びる第一の連結部と、前記弾性部を前記頭部の支持部との間で介在させた第二の連結部と、それらの連結部を互いに支持する結合部とを有していることを特徴とする請求項１から請求項３のうちいずれか一つの請求項に記載の首振り式剃刀。
【請求項５】
前記第二の連結部において刃体組付部側に対し弾性部を挟む反対側の端部は、剃刀ヘッドの中立位置で前記支持孔内に配置されていることを特徴とする請求項４に記載の首振り式剃刀。
【請求項６】
前記弾性部は、弾性板であって、撓み許容部を有していることを特徴とする請求項１から請求項５のうちいずれか一つの請求項に記載の首振り式剃刀。
【請求項７】
前記弾性部は変形のし難さを指す難変形度の異なる複数の撓み許容部を有していることを特徴とする請求項６に記載の首振り式剃刀。
【請求項８】
前記弾性部の各撓み許容部は互いに隣接して並設されていることを特徴とする請求項７に記載の首振り式剃刀。
【請求項９】
前記弾性部の各撓み許容部は前記被支持部の延設部の外周で環状に並設されていることを特徴とする請求項８に記載の首振り式剃刀。
【請求項１０】
前記弾性部において相対向する撓み許容部は同じ難変形度を有していることを特徴とする請求項９に記載の首振り式剃刀。
【請求項１１】
前記弾性部の各撓み許容部は、剃刀ヘッドにおける刃体の刃先の延設方向に沿う左右方向で相対向する左右両側の撓み許容部と、その刃先の延設方向に対し交差する上下方向で相対向する上下両側の撓み許容部と、この左右両側の撓み許容部と上下両側の撓み許容部との間の四隅部において対角方向で相対向する四隅部の撓み許容部とを有し、この四隅部の撓み許容部の難変形度は、この左右両側の撓み許容部の難変形度や、この上下両側の撓み許容部の難変形度よりも高くなっていることを特徴とする請求項９に記載の首振り式剃刀。
【請求項１２】
前記弾性部は剃刀ヘッドの中立位置から移動位置への移動に従って変形する撓み許容部を有し、その撓み許容部の移動位置の難変形度はその撓み許容部の中立位置の難変形度より高くなっていることを特徴とする請求項１から請求項１１のうちいずれか一つの請求項に記載の首振り式剃刀。
【請求項１３】
前記撓み許容部の難変形度は、剃刀ヘッドが中立位置から移動位置に移動するに従い高くなることを特徴とする請求項１２に記載の首振り式剃刀。
【請求項１４】
前記撓み許容部は、前記延設部の軸線の外周で環状に連続して延びる突条部と、その突条部の内側で環状に連続して延びる溝部とを有していることを特徴とする請求項６から請求項１３のうちいずれか一つの請求項に記載の首振り式剃刀。
【請求項１５】
前記ホルダにおいて頭部は把持部と連続して設けられ、この把持部は頭部の弾性部と一体成形されて露出する指当部を有していることを特徴とする請求項１から請求項１４のうちいずれか一つの請求項に記載の首振り式剃刀。
【発明の詳細な説明】
【技術分野】
【０００１】
本発明は、刃体を組み付けた剃刀ヘッドがホルダの頭部に対し弾性に抗して首振りし得る首振り式剃刀に関するものである。
【背景技術】
【０００２】
従来、下記特許文献１で開示された安全かみそりでは、刃体を有する替刃ユニットが、ジョイントの両ジャーナル軸受間で支持され、中立位置に対しその両ジャーナル軸受を中心に弾性に抗して揺動するばかりでなく、柄に対し枢動軸により支持されたジョイントが、中立位置に対しその枢動軸を中心に弾性に抗して替刃ユニットとともに揺動する。
【先行技術文献】
【特許文献】
【０００３】
【特許文献１】特開平４−２２３８８号公報
【発明の概要】
【発明が解決しようとする課題】
【０００４】
上記特許文献１では、両ジャーナル軸受を中心とする揺動方向や枢動軸を中心とする揺動方向毎に揺動支持構造を必要とし、その揺動支持構造が複雑になっていた。
この発明は、首振り式剃刀において、刃体を組み付けた剃刀ヘッドをホルダの頭部に対する中立位置に対し弾性に抗して移動し得る支持構造を簡単にすることを目的としている。
【課題を解決するための手段】
【０００５】
後記実施形態（図１〜２に示す第１実施形態、図３〜４に示す第２実施形態、図５（ａ）に示す第３実施形態、図５（ｂ）に示す第４実施形態、図５（ｃ）に示す第５実施形態、図５（ｄ）に示す第６実施形態、図６（ａ）に示す第７実施形態、図６（ｂ）に示す第８実施形態図、図６（ｃ）に示す第９実施形態、図７〜１４に示す第１０実施形態及びその別例）の図面の符号を援用して本発明を説明する。
【０００６】
請求項１の発明にかかる首振り式剃刀（第１〜１０実施形態に対応）においては、ホルダ（１）の頭部（３）に設けた支持部（６）と、刃体（９）を組み付けた剃刀ヘッド（７）に設けた被支持部（１０）との間に弾性部（１２）を介在させて、この弾性部（１２）により被支持部（１０）を支持部（６）に支持し、この剃刀ヘッド（７）はその弾性部（１２）により付勢されて静止する中立位置（Ｐ）に対しその弾性部（１２）の付勢力に抗して移動した移動位置を取り得る。この弾性部（１２）は、前記頭部（３）の支持部（６）に支持された環状外周部を有しているとともに、その環状外周部よりも内側で交差する軸線（１３ａ）に沿って延びる延設部（１４）を有する剃刀ヘッド（７）の被支持部（１０）を支持し、この延設部（１４）の延設方向に沿う軸線（１３ａ）の方向とその軸線（１３ａ）に交差する方向（Ｘ，Ｙ，Ｚなど）へ移動して撓み得る。
請求項１の発明は下記の特徴を有する。
（イ）  剃刀ヘッド（７）を弾性部（１２）により支持することができるので、剃刀ヘッド（７）を中立位置（Ｐ）に対し弾性部（１２）の弾性に抗して移動可能に支持する支持構造を簡単にすることができる。
【０００７】
（ロ）  弾性部（１２）の環状外周部が頭部（３）の支持部（６）に支持されているので、弾性部（１２）においてその環状外周部よりも内側を撓ませることができる。
【０００８】
（ハ）  弾性部（１２）において撓み易くした環状外周部の内側で被支持部（１０）を支持したので、剃刀ヘッド（７）を弾性に抗して移動させ易くするとともに中立位置（Ｐ）に復帰させ易い。
（ニ） 弾性部（１２）は、延設部（１４）の延設方向に沿う軸線（１３ａ）の方向とその軸線（１３ａ）に交差する方向（Ｘ，Ｙ，Ｚなど）へ移動して撓み得るので、剃刀ヘッド（７）を中立位置（Ｐ）に対し弾性部（１２）の弾性に抗して三次元方向の移動位置に移動させて、剃刀の使い勝手を良くすることができる。
【００１１】
請求項１の発明を前提とする請求項２の発明（第１〜１０実施形態に対応）において、前記頭部（３）の支持部（６）は環状に配設された環状部（６ａ）を有し、前記弾性部（１２）はその支持部（６）の環状部（６ａ）の内周と前記被支持部（１０）の延設部（１４）の外周との間の支持孔（１１）でその内周及び外周に沿って環状に配設された環状部（１２ａ）を有している。ちなみに、頭部（３）の支持部（６）の環状部（６ａ）については、第１６の発明のように環状に連続させること以外に、複数の支持部（６ａ）を環状に配設させてもよい。また、弾性部（１２）の環状部（１２ａ）については、第１７の発明のように環状に連続させること以外に、複数の弾性部（１２）を環状に配設させてもよい。請求項２の発明では、その支持孔（１１）で弾性部（１２）の環状部（１２ａ）を撓ませることができる。
請求項２の発明を前提とする請求項３の発明（第１０実施形態に対応）において、前記弾性部（１２）の環状部（１２ａ）は剃刀ヘッド（７）の中立位置（Ｐ）で前記支持孔（１１）内に配置されている。請求項３の発明では、使用時に弾性部（１２）を不用意に触れて剃刀ヘッド（７）の首振りを邪魔したりすることがなく、剃刀の使い勝手を良くすることができる。
請求項１から請求項３の発明のうちいずれか一つの請求項の発明を前提とする請求項４の発明（第１〜１０実施形態に対応）にかかる剃刀ヘッド（７）において、被支持部（１０）は、刃体（９）を組み付けた刃体組付部（８）から延びる第一の連結部（１６，２３）と、前記弾性部（１２）を前記頭部（３）の支持部（６）との間で介在させた第二の連結部（１３）とを有し、それらの連結部（１３，１６，２３）を互いに支持する結合部（１４ａ，１８ａ、１６ａ、２２ｂ，２３，２４，２５，２６、３１，３４、３５、３７，３９，４０，４１，４２）を有している。請求項４の発明では、剃刀ヘッド（７）の被支持部（１０）を成形し易い。
請求項４の発明を前提とする請求項５の発明（第１０実施形態に対応）にかかる第二の連結部（１３）において、刃体組付部（８）側に対し弾性部（１２）を挟む反対側の端部は、剃刀ヘッド（７）の中立位置（Ｐ）で前記支持孔（１１）内に配置されている。請求項５の発明では、使用時に剃刀ヘッド（７）の被支持部（１０）の第二の連結部（１３）を不用意に触れて剃刀ヘッド（７）の首振りを邪魔したりすることがなく、剃刀の使い勝手を良くすることができる。
請求項１から請求項５の発明のうちいずれか一つの請求項の発明を前提とする請求項６の発明（第１〜１０実施形態に対応）において、弾性部は、弾性板（１２）であって、撓み許容部（１９）を有している。請求項６の発明では、板状の弾性部に撓み許容部（１９）を設けたので、弾性板（１２）においてその環状外周部の内側を撓ませ易い。
【００１２】
請求項６の発明を前提とする請求項７の発明（第１０実施形態に対応）において、前記弾性部（１２）は変形のし難さを指す難変形度の異なる複数の撓み許容部（４３，４４，４５）を有している。請求項７の発明では、剃刀ヘッド（７）の首振り方向に応じて弾性部（１２）の難変形度を変えて剃り味を変更することができる。
【００１３】
請求項７の発明を前提とする請求項８の発明（第１０実施形態に対応）において、前記弾性部（１２）の各撓み許容部（４３，４４，４５）は互いに隣接して並設されている。請求項８の発明では、難変形度の異なる複数の撓み許容部（４３，４４，４５）を有する弾性部（１２）を容易に設けることができる。
【００１４】
請求項８の発明を前提とする請求項９の発明（第１０実施形態に対応）において、前記弾性部（１２）の各撓み許容部（４３，４４，４５）は前記被支持部（７）の延設部（１４）の外周で環状に並設されている。請求項９の発明では、難変形度の異なる複数の撓み許容部（４３，４４，４５）を有する弾性部（１２）を容易に設けることができる。
【００１５】
請求項９の発明を前提とする請求項１０の発明（第１０実施形態に対応）にかかる弾性部（１２）において、相対向する撓み許容部（４３，４４，４５）は同じ難変形度を有している。請求項１０の発明では、剃刀ヘッド（７）の同じ首振り方向で弾性部（１２）の難変形度を同じにして良好な剃り味を得ることができる。
請求項９の発明を前提とする請求項１１の発明（第１０実施形態に対応）において、前記弾性部（１２）の各撓み許容部は、剃刀ヘッド（７）における刃体（９）の刃先（９ａ）の延設方向に沿う左右方向（Ｙ）で相対向する左右両側の撓み許容部（４３）と、その刃先（９）の延設方向（Ｙ）に対し交差する上下方向（Ｚ）で相対向する上下両側の撓み許容部（４４）と、この左右両側の撓み許容部（４３）と上下両側の撓み許容部（４４）との間の四隅部において対角方向で相対向する四隅部の撓み許容部（４５）とを有し、この四隅部の撓み許容部（４５）の難変形度は、この左右両側の撓み許容部（４３）の難変形度や、この上下両側の撓み許容部（４４）の難変形度よりも高くなっている。請求項１１の発明では、剃刀ヘッド（７）が左右方向（Ｙ）と上下方向（Ｚ）とで首振りし易くして首振り動作を安定させることができる。
【００１６】
請求項１から請求項１１の発明のうちいずれか一つの請求項の発明を前提とする請求項１２の発明（第１０実施形態に対応）において、前記弾性部（１２）は剃刀ヘッド（７）の中立位置（Ｐ）から移動位置への移動に従って変形する撓み許容部（１９）を有し、その撓み許容部（１９）の移動位置の難変形度はその撓み許容部（１９）の中立位置（Ｐ）の難変形度より高くなっている。請求項１２の発明では、首振りの始めに剃り味を柔らかくするとともに、首振りの終わりに剃刀ヘッド（７）を安定させて、剃り味を向上させることができる。
請求項１２の発明を前提とする請求項１３の発明（第１０実施形態に対応）において、前記撓み許容部（１９）の難変形度は、剃刀ヘッド（７）が中立位置（Ｐ）から移動位置に移動するに従い高くなる。請求項１３の発明では、首振りの始めに剃り味を柔らかくするとともに、首振りの終わりに剃刀ヘッド（７）を安定させて、剃り味を向上させることができる
請求項６から請求項１３のうちいずれか一つの請求項の発明を前提とする請求項１４の発明（第１〜１０実施形態に対応）において、前記撓み許容部（１９）は、前記延設部（１４）の軸線（１３ａ）の外周で環状に連続して延びる突条部（２０）と、その突条部（２０）の内側で環状に連続して延びる溝部（２１）とを有している。請求項１４の発明では、弾性部（１２）においてその環状外周部の内側を撓み許容部（１９）の突条部（２０）及び溝部（２１）により撓み易くすることができる。
【００１７】
請求項１から請求項１４の発明のうちいずれか一つの請求項の発明を前提とする請求項１５の発明（第１０実施形態に対応）にかかるホルダ（１）において、頭部（３）は把持部（２）と連続して設けられ、この把持部（２）は頭部（３）の弾性部（１２）と一体成形されて露出する指当部（５）を有している。請求項１５の発明では、弾性部（１２）と指当部（５）とを有するホルダ（１）を容易に成形することができる。
【００２１】
次に、請求項以外の技術的思想について実施形態の図面の符号を援用して説明する。
請求項２または請求項３の発明を前提とする第１６の発明（第１〜１０実施形態に対応）において、前記頭部（３）の支持部（６）の環状部（６ａ）は環状に連続している。第１６の発明では、支持部（６）の連続した環状部（６ａ）に弾性部（１２）の環状部（１２ａ）を支持して、支持孔（１１）で弾性部（１２）の環状部（１２ａ）を撓ませることができる。
【００２２】
請求項２または請求項３の発明または第１６の発明を前提とする第１７の発明（第１〜１０実施形態に対応）において、前記弾性部（１２）の環状部（１２ａ）は環状に連続している。第１７の発明では、弾性部（１２）の連続した環状部（１２ａ）を支持部（６）の環状部（６ａ）に支持して、支持孔（１１）で弾性部（１２）の環状部（１２ａ）を撓ませることができる。
【００２３】
請求項１から請求項１５の発明のうちいずれか一つの請求項の発明、または第１６の発明または第１７の発明を前提とする第１８の発明（第１〜１０実施形態に対応）において、前記剃刀ヘッド（７）は複数の移動位置を取り得る。第１８の発明では、簡単な支持構造で、剃刀ヘッド（７）を中立位置（Ｐ）に対し弾性に抗して複数の移動位置に移動させることができる。
【００２６】
請求項１から請求項１５の発明のうちいずれか一つの請求項の発明、または第１６〜１８の発明のうちいずれか一つの発明を前提とする第１９の発明（第７実施形態に対応）において、前記弾性部（１２）は、前記頭部（３）の支持部（６）と剃刀ヘッド（７）の被支持部（１０）とに対し互いに分離して別々に設けられてその支持部（６）及び被支持部（１０）に対し連結されている。第１９の発明では、弾性部（１２）と頭部（３）の支持部（６）と剃刀ヘッド（７）の被支持部（１０）とを成形し易い。
【００２８】
請求項４の発明を前提とする第２０の発明（第１〜６，１０実施形態に対応）において、前記剃刀ヘッド（７）の被支持部（１０）における両連結部（１３，１６，２３）は、結合部（１４ａ，１８ａ、１６ａ、２２ｂ，２３，２４，２５，２６，３７，３９，４０，４１，４２）で互いに着脱不能に支持されている。第２０の発明では、剃刀ヘッド（７）の被支持部（１０）を成形し易い。
【００２９】
第２０の発明を前提とする第２１の発明（第７〜９実施形態及び１０実施形態の別例に対応）において、前記剃刀ヘッド（７）の被支持部（１０）における両連結部（１３，１６）は、結合部（３１，３４、３５、３７，３９，４０，４１，４２）で着脱可能に支持されている。第２１の発明では、剃刀ヘッド（７）において刃体（９）を組み付けた組付部（８）を交換することができる。
【００３０】
第２１の発明を前提とする第２２の発明（第７実施形態及び１０実施形態の別例に対応）にかかる結合部において、両連結部（１３，１６）のうち一方の連結部（１６）に設けた係止凹部（３１ａ，４１）と他方の連結部（１３）に設けた係止凸部（３４ａ，４０ａ）とが互いに着脱される。第２２の発明では、結合部の両連結部（１３，１６）を係止凹部（３１ａ，４１）と係止凸部（３４ａ，４０ａ）とにより着脱することができる。
【００３１】
第２１の発明または第２２の発明を前提とする第２３の発明（第８，９実施形態に対応）にかかる結合部（３５）において、両連結部（１３，１６）のうち一方の連結部（１３）と他方の連結部（１６）とが磁力により互いに取着される。第２３の発明では、両連結部（１３，１６）を結合部（３５）で磁力により互いに取着したりその磁力に抗して互いに離脱させたりすることができる。
【００３２】
第２１の発明または第２２の発明を前提とする第２４の発明（第７，９実施形態及び１０実施形態の別例に対応）にかかる結合部（３１，３４，３５、３７，３９，４０，４１，４２）において、両連結部（１３，１６）のうち一方の連結部（１３）と他方の連結部（１６）とを互いに着脱させる操作部（３２，１５）を設けている。第２４の発明では、結合部（３１，３４，３５、３７，３９，４０，４１）で両連結部（１３，１６）を操作部（３２，１５）により着脱させることができる。
【００３３】
請求項１から請求項１５の発明のうちいずれか一つの請求項の発明、または第１６〜２４の発明のうちいずれか一つの発明を前提とする第２５の発明（第１〜６，８，９実施形態、第１０実施形態及びその別例に対応）において、前記弾性部（１２）は、前記頭部（３）の支持部（６）と剃刀ヘッド（７）の被支持部（１０）とをインサートした金型内のキャビティに材料を供給して成形されている。第２５の発明では、弾性部（１２）を頭部（３）の支持部（６）及び剃刀ヘッド（７）の被支持部（１０）に対し一体的に取着することができる。
【００３５】
請求項１１の発明を前提とする第２６の発明（第１０実施形態に対応）において、前記左右両側の撓み許容部（４３）は同じ難変形度を有し、上下両側の撓み許容部（４４）は同じ難変形度を有し、四隅部の撓み許容部（４５）は同じ難変形度を有している。第２６の発明では、剃刀ヘッド（７）の同じ首振り方向で弾性部（１２）の難変形度を同じにして良好な剃り味を得ることができる。
【００３７】
請求項１から請求項３の発明のうちいずれか一つの請求項の発明を前提とする第２７の発明（第１０実施形態に対応）において、前記剃刀ヘッド（７）の被支持部（１０）は、刃体（９）を組み付けた刃体組付部（８）から延びる第一の連結部（１６）と、前記弾性部（１２）を前記頭部（３）の支持部（６）との間で介在させた第二の連結部（１３）と、それらの連結部（１３，１６）を互いに支持する結合部（３７，３９，４０，４１，４２）とを有し、この結合部（３７，３９，４０，４１，４２）は、それらの連結部（１３，１６）が所定の位置関係にある場合にのみ、それらの連結部（１３，１６）を互いに支持し得る。第２７の発明では、剃刀ヘッド（７）の被支持部（１０）において各連結部（１３，１６）の結合可能位置を限定して、ホルダ（１）に対する剃刀ヘッド（７）の向きを一定にすることができる。
【００３８】
請求項１から請求項３の発明のうちいずれか一つの請求項の発明を前提とする第２８の発明（第１０実施形態に対応）において、前記剃刀ヘッド（７）の被支持部（１０）は、刃体（９）を組み付けた刃体組付部（８）から延びる第一の連結部（１６）と、前記弾性部（１２）を前記頭部（３）の支持部（６）との間で介在させた第二の連結部（１３）と、それらの連結部（１３，１６）を互いに着脱可能に支持する結合部（３７，３９，４０，４１，４２）とを有し、この第一の連結部（１６）は、刃体組付部（８）側に対し弾性部（１２）を挟む反対側で、第二の連結部（１３）から離間するように突出する操作部（１６ｂ）を有している。第２８の発明では、操作部（１６ｂ）により剃刀ヘッド（７）をホルダ（１）に対し容易に着脱することができる。
【００３９】
請求項１５の発明を前提とする第２９の発明（第１０実施形態に対応）において、前記把持部（２）は頭部（３）の支持部（６）と一体成形された主体部（４）を有し、前記指当部（５）はこの主体部（４）から露出している。第２９の発明では、弾性部（１２）と指当部（５）と主体部（４）とを有するホルダ（１）を容易に成形することができる。
【００４０】
請求項５の発明を前提とする第３０の発明（第１０実施形態に対応）にかかる第一の連結部（１６）において刃体組付部（８）側に対し弾性部（１２）を挟む反対側の端部は、剃刀ヘッド（７）の中立位置（Ｐ）で、前記支持孔（１１）内に配置されている。第３０の発明では、使用時に剃刀ヘッド（７）の被支持部（１０）の第一の連結部（１６）を不用意に触れて剃刀ヘッド（７）の首振りを邪魔したりすることがなく、剃刀の使い勝手を良くすることができる。
【発明の効果】
【００４１】
本発明は、首振り式剃刀において、刃体（９）を組み付けた剃刀ヘッド（７）をホルダ（１）の頭部（３）に対する中立位置（Ｐ）に対し弾性部（１２）の弾性に抗して移動し得る支持構造を簡単にすることができるばかりではなく、剃刀ヘッド（７）を中立位置（Ｐ）に対し弾性部（１２）の弾性に抗して三次元方向の移動位置に移動させて、剃刀の使い勝手を良くすることができる。
【図面の簡単な説明】
【００４２】
【図１】（ａ）は第１実施形態にかかる首振り式剃刀において中立状態を示す斜視図であり、（ｂ）は同じく背面図であり、（ｃ）は同じく正面図であり、（ｄ）は同じく側面図である。
【図２】（ａ）は第１実施形態にかかる首振り式剃刀において中立状態を示す図１（ｂ）の部分拡大図であり、（ｂ）は同じく図１（ｄ）の部分拡大図であり、（ｃ）は（ｂ）の部分断面図である。
【図３】（ａ）は第２実施形態にかかる首振り式剃刀において中立状態を示す斜視図であり、（ｂ）は同じく背面図であり、（ｃ）は同じく正面図であり、（ｄ）は同じく側面図である。
【図４】（ａ）は第２実施形態にかかる首振り式剃刀において中立状態を示す図３（ｂ）の部分拡大図であり、（ｂ）は同じく図３（ｄ）の部分拡大図であり、（ｃ）は（ｂ）の部分断面図である。
【図５】（ａ）は第３実施形態にかかる首振り式剃刀において中立状態を示す部分断面図であり、（ｂ）は第４実施形態にかかる首振り式剃刀において中立状態を示す部分断面図であり、（ｃ）は第５実施形態にかかる首振り式剃刀において中立状態を示す部分断面図であり、（ｄ）は第６実施形態にかかる首振り式剃刀において中立状態を示す部分断面図である。
【図６】（ａ）は第７実施形態にかかる首振り式剃刀において中立状態を示す部分断面図であり、（ｂ）は第８実施形態にかかる首振り式剃刀において中立状態を示す部分断面図であり、（ｃ）は第９実施形態にかかる首振り式剃刀において中立状態を示す部分断面図である。
【図７】（ａ）は第１０実施形態にかかる首振り式剃刀において中立状態を示す斜視図であり、（ｂ）は同じく背面図であり、（ｃ）は同じく正面図であり、（ｄ）は同じく側面図である。
【図８】（ａ）は第１０実施形態にかかる首振り式剃刀において中立状態を示す図７（ｂ）の部分拡大図であり、（ｂ）は同じく図７（ｄ）の部分拡大図であり、（ｃ）は同じく部分平面図である。
【図９】（ａ）は第１０実施形態にかかる首振り式剃刀において中立位置の剃刀ヘッドにキャップを取り付けた状態を示す部分側面図であり、（ｂ）は同じく部分平面図である。
【図１０】（ａ）は第１０実施形態にかかる首振り式剃刀の中立状態において側面側を示す図８（ｂ）の部分断面図であり、（ｂ）は同じく平面側を示す図８（ｃ）の部分断面図であり、（ｃ）は第１０実施形態の別例にかかる首振り式剃刀の中立状態において平面側を示す部分断面図である。
【図１１】（ａ）は第１０実施形態にかかる首振り式剃刀において上方への傾動状態を示す部分側面図であり、（ｂ）は同じく部分背面図であり、（ｃ）は同じく側面側を示す部分断面図である。
【図１２】（ａ）は第１０実施形態にかかる首振り式剃刀において下方への傾動状態を示す部分側面図であり、（ｂ）は同じく部分背面図であり、（ｃ）は同じく側面側を示す部分断面図である。
【図１３】（ａ）は第１０実施形態にかかる首振り式剃刀において前後方向への押圧状態を示す部分側面図であり、（ｂ）は同じく部分背面図であり、（ｃ）は同じく側面側を示す部分断面図である。
【図１４】（ａ）は第１０実施形態にかかる首振り式剃刀において左右方向への傾動状態を示す部分平面図であり、（ｂ）は同じく部分背面図であり、（ｃ）は同じく平面側を示す部分断面図である。
【発明を実施するための形態】
【００４３】
まず、本発明の第１実施形態にかかる首振り式剃刀について不使用時の中立状態を基本として図１〜２を参照して説明する。
図１に示すホルダ１は、上下方向Ｚへ細長く延設された把持部２と、その把持部２の上端部に設けられた頭部３とを有している。把持部２は、硬質樹脂により成形された主体部４と、軟質樹脂により成形されてその主体部４の外側に露出する指当部５とを有している。頭部３は、硬質樹脂により把持部２の主体部４とともに主体部４と同一材で一体成形された支持部６を有している。なお、把持部２の主体部４や頭部３の支持部６を硬質樹脂以外の硬質材により形成し、指当部５を軟質樹脂以外の軟質材により形成してもよい。
【００４４】
支持部６には円環状に連続する環状部６ａが形成されている。図１及び図２（ａ）（ｂ）に示す剃刀ヘッド７は、刃体９を組み付けた刃体組付部８と、その刃体組付部８から頭部３の支持部６に向けて延びる円柱状の被支持部１０とを有している。図２（ｃ）に示すように、支持部６の環状部６ａの内周と、剃刀ヘッド７の被支持部１０の外周との間の支持孔１１には、弾性板１２（弾性部）が介在されている。支持部６の環状部６ａの外周は上下方向Ｚで剃刀ヘッド７の刃体組付部８よりも上方へ突出している。
【００４５】
被支持部１０は、筒部１４（延設部）と底部１５とを有する連結部１３と、刃体組付部８の刃台８ａから突出する一対の腕部１７，１８を有する連結部１６とからなる。一対の腕部１７，１８は、筒部１４の内側で、筒部１４の延設方向に沿う軸線１３ａを中心に回動しない状態でその軸線１３ａの方向のみに案内されながら挿着されている。一方の腕部１７は、底部１５の内側に当接されて、連結部１６の前後方向Ｘへの移動を規制している。他方の腕部１８の先端部には係止鉤部１８ａ（結合部）が形成されている。筒部１４には係止孔１４ａ（結合部）が形成されている。係止鉤部１８ａは、係止孔１４ａに係入されて、連結部１３からの連結部１６の不用意な離脱を阻止している。そのため、両連結部１３，１６は互いに着脱不能になる。連結部１３の筒部１４及び底部１５や、連結部１６の両腕部１７，１８も、硬質樹脂により成形されている。
【００４６】
弾性板１２は、頭部３の支持部６と剃刀ヘッド７における被支持部１０の連結部１３とをインサートした金型内のキャビティにゴム材またはゴム材以外の軟質材を供給して成形され、支持孔１１で支持部６の環状部６ａの内周と連結部１３の筒部１４の外周とに沿って円環状に連続する環状部１２ａを有している。このような弾性板１２の成形後に、前述したように刃体組付部８が被支持部１０に挿着される。環状部１２ａの外周部は支持部６の環状部６ａの内周部に面接触されて成形時の熱や圧力により取着されている。被支持部１０は、環状部１２ａに対しその厚み方向（前後方向Ｘ）の両側へ貫通されて支持されている。環状部１２ａの内周部は被支持部１０の筒部１４の外周部に面接触されて成形時の熱や圧力により取着されている。環状部１２ａには撓み許容部１９が形成されている。撓み許容部１９は、筒部１４の延設方向に沿う軸線１３ａの外周で環状に連続して延びる突条部２０と、その突条部２０の内側で環状に連続して延びる溝部２１とを有している。突条部２０を刃体組付部８から離れる向きへ軸線１３ａに沿って突出させているが、逆に刃体組付部８に接近する向きへ軸線１３ａに沿って突出させてもよい。環状部１２ａを含む弾性板１２は、略均一の厚み（０．１〜３ｍｍ）を有している。弾性板１２の環状部１２ａにおいて撓み許容部１９の厚みを撓み許容部１９以外の部分の厚みよりも小さくして、撓み易くしてもよい。撓み許容部１９において突条部２０の突出寸法は０．３〜５ｍｍになっている。
【００４７】
剃刀ヘッド７は弾性板１２により図２（ｂ）（ｃ）に示す中立位置Ｐで保持される。使用時にその中立位置Ｐで剃刀ヘッド７の刃体組付部８などに力が与えられると、弾性板１２は、複数の移動位置、例えば、被支持部１０の筒部１４の軸線１３ａの方向、または、その軸線１３ａに交差する方向、すなわち、左右方向Ｙに沿う軸線を中心に回動する方向、上下方向Ｚに沿う軸線を中心に回動する方向、前後方向Ｘや左右方向Ｙや上下方向Ｚやそれらを組み合わせた斜め方向へ移動して撓み得る。従って、剃刀ヘッド７を中立位置Ｐに対し弾性に抗して三次元方向の移動位置に移動させることができる。
【００４８】
図３〜４に示す第２実施形態においては、図３（ａ）（ｂ）（ｃ）（ｄ）が第１実施形態の図１（ａ）（ｂ）（ｃ）（ｄ）に対応するとともに、図４（ａ）（ｂ）（ｃ）が第１実施形態の図２（ａ）（ｂ）（ｃ）に対応し、特に下記の点で第１実施形態と異なる。
【００４９】
・  剃刀ヘッド７の被支持部１０において、第１実施形態の連結部１６（一対の腕部１７，１８）を変更している。連結部１６は、連結部１３の筒部１４の内側で、筒部１４の延設方向に沿う軸線１３ａを中心に回動しない状態でその軸線１３ａの方向のみに案内されながら挿入されて底部１５の内側に対し超音波振動で発生する内部摩擦熱により熱溶着されている。そのため、その熱溶着部１６ａ（結合部）により、両連結部１３，１６は互いに着脱不能になる。
【００５０】
・  弾性板１２において、環状部１２ａの外周部が支持部６の環状部６ａにくい込んで成形されているとともに、環状部１２ａの内周部が連結部１３の筒部１４の外周にくい込んで成形されている。
【００５１】
・  剃刀ヘッド７の被支持部１０において、連結部１３の筒部１４と底部１５とが別々に形成されて互いに嵌着されているとともに、底部１５が筒部１４よりも大径に形成され、底部１５の外周部が筒部１４から突出して弾性板１２の環状部１２ａに面している。
【００５２】
図５（ａ）に示す第３実施形態、図５（ｂ）に示す第４実施形態、図５（ｃ）に示す第５実施形態及び図５（ｄ）に示す第６実施形態は、それぞれ、第１実施形態の図２（ｃ）に対応し、特に下記の点で第１実施形態と異なる。
【００５３】
第３〜６実施形態において、剃刀ヘッド７は互いに分離された刃体組付部８と被支持部１０とからなる。刃体組付部８の刃台２２において上枠部２２ａと下枠部２２ｂとの間には連結部としての帯板部２３がアーチ状に架設されている。被支持部１０は、筒状をなし、両端面側で開放されている。被支持部１０の両端面側の外周縁部には切欠き２４（結合部）が形成されているとともに、切欠き２４の下方でその外周縁部の左右両側には上下一対の突起２５，２６が形成されている。被支持部１０の一端面側において、刃台２２の帯板部２３が切欠き２４に係入されているとともに、刃台２２の下枠部２２ｂ（結合部）が上下両突起２５，２６（結合部）間に係入され、刃台２２の下枠部２２ｂが被支持部１０に対し超音波振動で発生する内部摩擦熱により熱溶着されている。そのため、被支持部１０と刃台２２とは互いに着脱不能になる。被支持部１０の他端面側で同様にして被支持部１０と刃台２２とを互いに着脱不能に熱溶着してもよい。その場合には、突条部２０が刃体組付部８に接近する向きへ突出する。
【００５４】
第３〜５実施形態においては、支持部６の環状部６ａの内周部に形成された切欠き２７に弾性板１２の環状部１２ａの外周部がくい込んで成形されているとともに、被支持部１０の外周部に形成された切欠き２８に環状部１２ａの内周部がくい込んで成形されている。第３〜４実施形態の弾性板１２の外周部及び内周部においては、くい込み部２９以外にそのくい込み部２９から延びて面接触された延設部３０が形成されている。第５実施形態の弾性板１２の外周部及び内周部においては、くい込み部２９のみが形成されている。
【００５５】
第６実施形態の弾性板１２において、環状部１２ａの外周部は支持部６の環状部６ａの内周部に面接触されて取着されているとともに、環状部１２ａの内周部は被支持部１０の外周部に面接触されて取着されている。第３〜５実施形態の弾性板１２は被支持部１０の軸線１０ａを中心とする点対称に形成されているが、第６実施形態の弾性板１２は、環状部１２ａの外周部を含む面や環状部１２ａの内周部を含む面が被支持部１０の軸線１０ａに対し斜めに交差する非対称に形成されている。
【００５６】
図６（ａ）に示す第７実施形態、図６（ｂ）に示す第８実施形態及び図６（ｃ）に示す第９実施形態は、それぞれ、第１実施形態の図２（ｃ）に対応し、特に下記の点で第１実施形態と異なる。
【００５７】
第７実施形態の支持部６及び連結部１３はそれぞれ二つ割りに形成され、支持部６及び連結部１３と分離されて形成された弾性板１２がそれらに挟持されている。連結部１６に設けられた係止腕３１は、結合部としての係止凹部３１ａを有し、連結部１３に挿入されている。連結部１３に設けられた操作ボタン３２（操作部）と連結部１６の係止腕３１との間に操作ばね３３が嵌め込まれている。操作ボタン３２に取着された片持ち梁状の係止腕３４はその自由端部に結合部としての係止凸部３４ａを有している。係止腕３４の係止凸部３４ａが係止腕３１の係止凹部３１ａに係入されて、両連結部１３，１６の離脱を阻止している。操作ボタン３２を操作ばね３３の弾性力に抗して押すと、連結部１３に設けられた凹部３６の斜面３６ａに係止腕３４の係止凸部３４ａが当接し、係止腕３４が撓んで係止凹部３１ａと係止凸部３４ａとの係止が解除され、連結部１６の係止腕３１が操作ボタン３２の押圧力と操作ばね３３の弾性力とにより連結部１３から離脱する。そのため、両連結部１３，１６は互いに着脱可能になる。
【００５８】
第８実施形態の剃刀ヘッド７の被支持部１０においては、第２実施形態と同様に連結部１６が連結部１３の筒部１４の内側に挿入されているとともに、連結部１３の底部１５が筒部１４よりも大径に形成されている。連結部１３の底部１５と連結部１６との相対向部において、Ｎ極の磁石３５とＳ極の磁石３５とのうち一方が連結部１３側に埋設されているとともに他方が連結部１６側に埋設されている。磁石３５（結合部）の磁力に抗して剃刀ヘッド７の刃体組付部８を引くと、刃体組付部８は、連結部１３の筒部１４の内周と連結部１６の外周との間で、筒部１４の延設方向に沿う軸線１３ａを中心に回動しない状態でその軸線１３ａの方向のみに案内されながら軸線１３ａの方向のみに案内されて、両連結部１３，１６を分離することができる。連結部１６を連結部１３に挿入すると、同様に軸線１３ａの方向のみに案内されて、連結部１６側の磁石３５が連結部１３側の磁石３５に接近しただけでそれらの磁石３５の磁力により連結部１６を連結部１３に吸着することができる。そのため、両連結部１３，１６は互いに着脱可能になる。そのほか、第８実施形態の弾性板１２も第２実施形態と同様である。剃刀ヘッド７において刃体組付部８にキャップ（図示せず）が被せてある場合にはそのキャップを刃体組付部８とともに引いて、両連結部１３，１６を分離することができる。刃体組付部８を替刃ケース（図示せず）に挿入する際にその替刃ケースを刃体組付部８とともに引いて、両連結部１３，１６を分離することができる。
【００５９】
第９実施形態の連結部１３においては、第８実施形態と異なり、筒部１４に対し底部１５をスライドすることができ、底部１５にはＮ極の磁石３５とＳ極の磁石３５とが互いに並べて埋設されている。底部１５がばね（図示せず）により付勢された中立位置では、第８実施形態と同様に連結部１６を連結部１３に吸着することができる。例えば手指により底部１５を筒部１４に対しばねの弾性力に抗してスライドさせると、磁石３５の反発力により両連結部１３，１６を分離することができる。その手指を底部１５から離すと、ばねの弾性力により底部１５が中立位置に戻る。そのため、両連結部１３，１６は互いに着脱可能になる。なお、このばねを省略して筒部１４に対し底部１５をそれらの摩擦抵抗に抗してスライドさせてもよい。
【００６０】
なお、吸着磁力は磁石３５と鉄などの磁性体との間で生じるようにしてもよい。
次に、本発明の第１０実施形態及びその別例にかかる首振り式剃刀について不使用時の中立状態を基本として図７〜１４を参照して説明する。
【００６１】
図７に示すホルダ１は、上下方向Ｚへ細長く延設された把持部２と、その把持部２の上端部に設けられた頭部３とを有している。把持部２は、硬質樹脂により成形された主体部４と、軟質樹脂またはゴム材またはゴム材以外の軟質材により成形されてその主体部４の外側に露出する指当部５とを有している。頭部３は、硬質樹脂により把持部２の主体部４とともに主体部４と同一材で一体成形された支持部６を有している。
【００６２】
図７，８及び図１０（ａ）（ｂ）に示す支持部６には上辺部と下辺部と左辺部と右辺部とにより略四角形の環状に連続する環状部６ａが形成されている。上辺部と下辺部と左辺部と右辺部とはそれぞれ外側へ緩やかな曲線により膨らみ、上辺部と左辺部との間の隅部や、上辺部と右辺部との間の隅部や、下辺部と左辺部との間の隅部や、下辺部と右辺部との間の隅部も、外側へ緩やかな曲線により膨らんで、上辺部と下辺部と左辺部と右辺部とに滑らかに連続している。ちなみに、上辺部及び下辺部の内側で左辺部と右辺部との間の左右方向Ｙの間隔のうち最大の間隔は約２７．５ｍｍに設定され、左辺部及び右辺部の内側で上辺部と下辺部との間の上下方向Ｚの間隔のうち最大の間隔は約２１．０ｍｍに設定されている。
【００６３】
図７，８に示す剃刀ヘッド７は、刃体９を組み付けた刃体組付部８と、その刃体組付部８から頭部３の支持部６に向けて延びる被支持部１０とを有している。図１０（ａ）（ｂ）に示すように、支持部６の環状部６ａの内周と、剃刀ヘッド７の被支持部１０の外周との間の支持孔１１には、弾性板１２（弾性部）が介在されている。支持部６の環状部６ａの外周上端は上下方向Ｚで剃刀ヘッド７の刃体組付部８よりも上方へ突出している。
【００６４】
剃刀ヘッド７の被支持部１０は、筒部１４（延設部）と底部１５（端部）とを有する連結部１３と、刃体組付部８の刃台８ａから突出する連結部１６とからなる。連結部１３の筒部１４は上壁部と下壁部と左壁部と右壁部とにより四角筒状をなす。連結部１６も上壁部と下壁部と左壁部と右壁部と底部（端部）とにより有底四角筒状をなす。この連結部１３内には前側の刃体組付部８側で開口された連結孔３７が形成されて底部１５で窓口１５ａにより開放されている。この連結孔３７において、筒部１４の上壁部の内側には窓口１５ａ側から刃体組付部８側へ向けて前後方向Ｘに延びる左右両案内突条３８が形成されているとともに、この左右両案内突条３８間に位置決め溝３９が形成され、また、底部１５には窓口１５ａ側から刃体組付部８側へ向けて前後方向Ｘに延びる片持ち梁状の左右両係止腕部４０が形成されている。この連結部１６の左右両壁部には係止孔４１（係止凹部、結合部）が形成されているとともに、この連結部１６の上壁部の外側には前後方向Ｘに延びる位置決め突条４２が形成されている。ちなみに、連結部１３の筒部１４の上壁部及び下壁部の外側でその左右方向Ｙの長さは約１７．０ｍｍに設定され、連結部１３の筒部１４の左壁部及び右壁部の外側でその上下方向Ｚの長さは約１０．５ｍｍに設定されている。
【００６５】
この連結部１６は前記連結部１３の連結孔３７に挿入される。その挿入状態で、連結部１６の位置決め突条４２（結合部）は連結部１３の位置決め溝３９（結合部）に挿入され、連結部１６は筒部１４の延設方向に沿う軸線１３ａを中心に回動しない状態でその軸線１３ａの方向のみに案内されながら連結部１３の連結孔３７（結合部）に挿着される。連結部１６の底部は、連結部１３の底部１５に当接されて前後方向Ｘへの移動が規制されるとともに、その底部１５の窓口１５ａで露出してその底部１５と略面一になっている。連結部１３の左右両係止腕部４０（結合部）はそれらの係止鉤部４０ａ（係止凸部）で連結部１６の左右両係止孔４１に係入され、連結部１３からの連結部１６の不用意な離脱が阻止されている。そのため、両連結部１３，１６は互いに着脱不能になる。連結部１３の筒部１４及び底部１５や、連結部１３の左右両係止腕部４０も、硬質樹脂により成形されている。
【００６６】
弾性板１２は、頭部３の支持部６と剃刀ヘッド７における被支持部１０の連結部１３とをインサートした金型内のキャビティに指当部５と同じ材料（軟質樹脂またはゴム材またはゴム材以外の軟質材）を供給して成形され、支持孔１１で支持部６の環状部６ａの内周と連結部１３の筒部１４の外周とに沿って環状に連続する環状部１２ａを有している。ホルダ１において頭部３と連続して設けられた把持部２は、頭部３の支持部６と一体成形された主体部４と、頭部３の弾性板１２と一体成形されて主体部４から露出する指当部５とを有している。指当部５には滑り止め機能を持たせたり感触を良くしたりするための各種形状の凹凸が形成されている。例えば、この弾性板１２及び指当部５はスチレン系熱可塑性エラストマからなり、物性として、２０以上６０以下の範囲のショアＡ硬度を有している。図７（ｂ）に示すように、ホルダ１において、弾性板１２と一体成形されて主体部４の外側に露出する指当部５は、頭部３に隣接する把持部２の背側で左右非対称に露出しているため、その把持部２の背側は左右両側で互いに異なる構成になっている。すなわち、溝部４ｂを有する左右両主体部４のうち、溝部４ｂが分断されている主体部４間に露出している指当部５ａはエラストマで成形されているため、その分断部分に指が触れると、その指当部５ａに指の腹が面接触して滑り止めとなり、また、溝部４ｂが連続している主体部４は滑り易い。ホルダ１において主体部４の上下両側には吊下用フックに対する引掛孔として利用することができる貫通孔４ａが形成されている。上側の貫通孔４ａには軟質樹脂の指当部５の一部が露出している。
【００６７】
このような弾性板１２の成形後に、前述したように刃体組付部８が被支持部１０に挿着される。環状部１２ａの外周部は支持部６の環状部６ａの内周部に面接触されて成形時の熱や圧力により取着されている。被支持部１０は、環状部１２ａに対しその厚み方向（前後方向Ｘ）の両側へ貫通されて支持されている。環状部１２ａの内周部は被支持部１０の筒部１４の外周部に面接触されて成形時の熱や圧力により取着されている。環状部１２ａには撓み許容部１９が形成されている。撓み許容部１９は、筒部１４の延設方向に沿う軸線１３ａの外周で環状に連続して延びる突条部２０と、その突条部２０の内側で環状に連続して延びる溝部２１とを有している。弾性板１２は、支持部６の環状部６ａと剃刀ヘッド７の被支持部１０との間の支持孔１１において、環状部６ａの前後両内周縁部で区画された内側領域Ｓ内に配置されている。剃刀ヘッド７の被支持部１０において連結部１３の底部１５及び連結部１６の底部は、刃体組付部８側に対し弾性板１２を挟む反対側で、支持孔１１の内側領域Ｓ内に配置されている。
【００６８】
突条部２０を刃体組付部８から離れる向きへ軸線１３ａに沿って突出させているが、逆に刃体組付部８に接近する向きへ軸線１３ａに沿って突出させてもよい。環状部１２ａを含む弾性板１２は、略均一の厚み（０．１〜３ｍｍ）を有している。弾性板１２の環状部１２ａにおいて撓み許容部１９の厚みを撓み許容部１９以外の部分の厚みよりも小さくして、撓み易くしてもよい。撓み許容部１９において突条部２０の突出寸法は０．３〜５ｍｍになっている。
【００６９】
弾性板１２の撓み許容部１９は、剃刀ヘッド７における刃体９の刃先９ａの延設方向に沿う左右方向Ｙで相対向する左右両側の撓み許容部４３と、その刃先９ａの延設方向に対し交差する上下方向Ｚで相対向する上下両側の撓み許容部４４と、この左右両側の撓み許容部４３と上下両側の撓み許容部４４との間の四隅部において対角方向で相対向する四隅部の撓み許容部４５とを有している。支持孔１１において、支持部６の環状部６ａの内周形状と被支持部１０の連結部１３の外周形状とは略相似形状となっており、支持部６の上辺部と連結部１３の上壁部との間の間隔と、支持部６の下辺部と連結部１３の下壁部との間の間隔と、支持部６の左辺部と連結部１３の左壁部との間の間隔と、支持部６の右辺部と連結部１３の右壁部との間の間隔とは、互いに略等しく設定され、各撓み許容部４３，４４，４５の突条部２０及び溝部２１はそれらの間隔の略中央位置でそれらの辺部及び壁部に沿って互いに隣接して配設されている。ちなみに、支持部６と被支持部１０との間で弾性板１２の左右方向Ｙ及び上下方向Ｚの幅は約５．０ｍｍに設定されている。
【００７０】
弾性板１２の各撓み許容部４３，４４，４５の変形のし難さを指す難変形度（弾性度）については互いに異なる。例えば、四隅部の撓み許容部４５は、左右両側の撓み許容部４３や上下両側の撓み許容部４４よりも短く、しかも、それらの撓み許容部４３，４４の四隅部で支点部として湾曲しているため、四隅部の撓み許容部４５の難変形度は、左右両側の撓み許容部４３の難変形度や上下両側の撓み許容部４４の難変形度よりも高く変形しにくくなっている。また、左右両側の撓み許容部４３は互いに同じ長さを有しているために互いに同じ難変形度を有しているとともに、上下両側の撓み許容部４４は互いに同じ長さを有しているために互いに同じ難変形度を有している。
【００７１】
次に、使用時の首振り動作について説明する。
剃刀ヘッド７は弾性板１２により図８（ａ）（ｂ）（ｃ）及び図１０（ａ）に示す中立位置Ｐで保持される。その中立位置Ｐでは、図７（ｄ）に示すように、剃刀ヘッド７における皮膚接触面がホルダ１の延設方向に対しなす角度θが約１０度に設定され、また、剃刀ヘッド７の被支持部１０において連結部１３の底部１５及び連結部１６の底部は、刃体組付部８側に対し弾性板１２を挟む反対側で、支持孔１１の内側領域Ｓ内に配置されている。使用時にその中立位置Ｐで剃刀ヘッド７の刃体組付部８などに力が与えられると、剃刀ヘッド７において刃体組付部８と被支持部１０とは一体となって移動して弾性板１２を押圧する。弾性板１２は、複数の移動位置、例えば、被支持部１０の筒部１４の軸線１３ａの方向、または、その軸線１３ａに交差する方向、すなわち、左右方向Ｙに沿う軸線を中心に回動する方向、上下方向Ｚに沿う軸線を中心に回動する方向、前後方向Ｘや左右方向Ｙや上下方向Ｚやそれらを組み合わせた斜め方向へ移動して撓み得る。従って、剃刀ヘッド７を中立位置Ｐに対し弾性に抗して三次元方向の移動位置に移動させることができる。
【００７２】
例えば、図１１に示すように剃刀ヘッド７が上方へ傾動する場合や、図１２に示すように剃刀ヘッド７が下方へ傾動する場合には、主に、上下両側の撓み許容部４４が共に変形する。また、例えば、図１３に示すように剃刀ヘッド７が後方へ押された場合には、主に、上下両側の撓み許容部４４及び左右両側の撓み許容部４３が共に変形する。また、例えば、図１４に示すように剃刀ヘッド７が右方へ傾動する場合や、図示しないが剃刀ヘッド７が左方へ傾動する場合には、主に、左右両側の撓み許容部４３が共に変形する。それらの場合に、四隅部の撓み許容部４５は上下両側の撓み許容部４４及び左右両側の撓み許容部４３より変形しにくい。しかも、それらの撓み許容部４３，４４，４５の形態は変形が進むにつれて変形しにくい形態に変化するため、それらの撓み許容部４３，４４，４５の複数の移動位置の難変形度は、それらの撓み許容部４３，４４，４５の中立位置Ｐの難変形度より高くなり、例えば、それらの撓み許容部４３，４４，４５の難変形度は剃刀ヘッド７が中立位置Ｐから複数の移動位置に移動するに従い高くなる。ちなみに、剃刀ヘッド７は、中立位置Ｐから上方へ約３０度（ホルダ１の延設方向に対し約４０度）で傾動し、中立位置Ｐから下方へ最大約３０度で傾動し、中立位置Ｐから左右方向へ約２５度で傾動し、中立位置Ｐから後方へ０．１〜５．０ｍｍ、好ましくは０．１〜２．０ｍｍ押されて移動する。
【００７３】
なお、被支持部１０や弾性板１２を頭部３の背側から指で押さえて使用すると、使用者の意図に合わせて剃刀ヘッド７の首振りを抑制することができる。
図９に示すように、剃刀ヘッド７にその下方からキャップ４６を被せた場合にも、キャップ４６と頭部３の支持部６との間の隙間の範囲でのみ剃刀ヘッド７が移動し得る。キャップ４６を被せた剃刀ヘッド７の移動範囲は、キャップ４６を被せない剃刀ヘッド７の移動範囲より小さい。図示しないが、剃刀ヘッド７にその上方からキャップ４６を被せることもできる。
【００７４】
図１０（ｃ）に示す第１０実施形態の別例では、図１０（ａ）の二点鎖線で示すように、連結部１３の底部１５の窓口１５ａで露出する連結部１６の底部が操作部１６ｂとして連結部１３の底部１５から離間するように突出している。連結部１３の左右両係止腕部４０の係止鉤部４０ａの形態を第１０実施形態と比較して変更したため、その操作部１６ｂを押せば、係止鉤部４０ａが係止孔４１に対し係脱してそれらの連結部１３，１６を互いに着脱することができる。係止孔４１に対する係止鉤部４０ａの係脱抵抗については、弾性板１２を損傷しない適度なものに設定することが好ましい。なお、第１０実施形態の別例においても第８実施形態や第９実施形態のように各連結部１３，１６の着脱係止構造として磁石を利用してもよい。
【００７５】
本実施形態は下記の効果を有する。
（１）  ホルダ１の頭部３の支持部６と剃刀ヘッド７の被支持部１０との間に介在させた弾性板１２のみにより剃刀ヘッド７を支持するので、剃刀ヘッド７を中立位置Ｐに対し弾性板１２の弾性に抗して移動可能に支持する支持構造を簡単にすることができる。
【００７６】
（２）  支持部６の環状部６ａの内周部で弾性板１２の環状部１２ａの外周部を支持するとともに、弾性板１２の環状部１２ａの内周部に剃刀ヘッド７の被支持部１０を挿着した簡単な支持構造により、使用時に剃刀ヘッド７を中立位置Ｐに対し弾性板１２の弾性に抗して三次元方向の移動位置に移動させ得るばかりではなく、剃刀ヘッド７の使用時に弾性板１２の環状部１２ａの弾性によるクッション機能を果たし、首振り式剃刀の使い勝手を良くすることができる。
【００７７】
（３）  第１〜９実施形態において、弾性板１２の環状部１２ａには円環状の突条部２０及び溝部２１とを有する撓み許容部１９を形成したので、弾性板１２の環状部１２ａを三次元方向へ平均的に撓み易くするばかりではなく、剃刀ヘッド７の使用時に撓み許容部１９によるクッション機能をより一層果たすことができる。しかも、撓み許容部１９において円環状の突条部２０が筒部１４の軸線１３ａに沿う方向へ突出しているので、環状部１２ａは、軸線１３ａに直交する方向（左右方向Ｙや上下方向Ｚなど）よりも軸線１３ａの方向（前後方向Ｘ）へ撓み易くなる。また、前後方向Ｘの軸線１３ａに直交する軸線（左右方向Ｙや上下方向Ｚなどの軸線）とその軸線１３ａとの交点を中心点として、ボールジョイントなどのユニバーサルジョイントと同様な機能を果たすため、環状部１２ａはより一層三次元方向へ平均的に撓み易くなる。
【００７８】
（４）  第１０実施形態及びその別例において、弾性板１２の環状部１２ａには環状の突条部２０及び溝部２１とを有する撓み許容部１９が左右両側の撓み許容部４３と上下両側の撓み許容部４４と四隅部の撓み許容部４５とにより略四角形の環状に並設されているので、ボールジョイントなどのユニバーサルジョイントと同様な機能を果たすばかりでなく、四隅部の撓み許容部４５の難変形度を左右両側の撓み許容部４３の難変形度や上下両側の撓み許容部４４の難変形度より高くしたり、左右両側の撓み許容部４３や上下両側の撓み許容部４４や四隅部の撓み許容部４５でそれぞれ同じ難変形度にしたり、剃刀ヘッド７が中立位置Ｐから移動位置に移動するに従いそれらの難変形度を高くしたりして、剃り味を容易に変更することができる。
【００７９】
（５）  剃刀ヘッド７の被支持部１０において刃体組付部８側の連結部１６と弾性板１２側の連結部１３とが所定の位置関係、すなわち、連結部１６の位置決め突条４２を連結部１３の位置決め溝３９に挿入し得る場合にのみ、それらの連結部１３，１６を互いに支持し得るので、剃刀ヘッド７の被支持部１０において各連結部１３，１６の結合可能位置を限定して、ホルダ１に対する剃刀ヘッド７の向きを一定にすることができる。
【００８０】
（６）  ホルダ１の上下両貫通孔４ａのうち、上側の貫通孔４ａを吊下用フックに引掛ければ、剃刀ヘッド７を上にして保持し易い。また、下側の貫通孔４ａを吊下用フックに引掛ければ、剃刀ヘッド７を下にして保持し易い。上下両貫通孔４ａを吊下用フックに引掛けることもできる。また、この貫通孔４ａ（引掛孔）に軟質樹脂の指当部５の一部を露出させれば、この指当部５が吊下用フックに接触して滑り止め機能を果たし、吊下状態が安定する。
【００８１】
前記実施形態以外にも例えば下記のように構成してもよい。
・  弾性部としては、ゴム材により成形した弾性板１２以外に、発泡材や粘性体内包部材やコイルばねや板ばねなどを利用してもよい。
【００８２】
・  支持部６としては、円環状や四角形以外に、三角形や楕円形などの環状でもよく、また、環状以外に、一部が切り欠かれた例えばＵ状であってもよい。
・  弾性部としては、弾性板１２の環状部１２ａに複数の貫通孔を等間隔で環状に並設してもよい。
【００８３】
・  弾性部としては、支持部上で膨らむ半球状であってもよい。
・  弾性部に該当する部分を薄肉にしてより撓み易くしてもよい。
・  第１〜９実施形態にかかる円環状の弾性板１２において、厚みに変化を持たせたり、突条部２０の形状を変更したり、弾性板１２に対する被支持部１０を支持位置を偏心させたりして、弾性板１２の周囲で変形のし難さを指す難変形度（弾性度）を変えるようにしてもよい。また、第１０実施形態にかかる環状の弾性板１２においても、同様にして弾性板１２の周囲で変形のし難さを指す難変形度（弾性度）を変えるようにしてもよい。
【００８４】
・  頭部３の支持部６と剃刀ヘッド７の被支持部１０との間に一または複数の薄板部を設けて、前後方向Ｘに沿う軸線１３ａを中心とする回動方向へ弾性板１２の環状部１２ａが撓むことを規制してもよい。その薄板部を設けても、前後方向Ｘに沿う軸線１３ａを中心とする回動方向以外の方向へ弾性板１２の環状部１２ａが撓むことは許容する。
【００８５】
・  弾性部としては、前記各実施形態のように剃刀ヘッド７の被支持部１０を弾性板１２に貫通して弾性板１２の厚み方向の両側に支持するばかりでなく、環状部１２ａの内周が内板部により互いに繋がった円形状の弾性板１２であってもよく、その場合にはこの内板部における前後方向Ｘの片側に被支持部の端部を連結することができる。
【００８６】
・  第３〜６実施形態において、刃体組付部８の帯板部２３を被支持部１０の切欠き２４に係入する際に帯板部２３を挟持する両係止腕を切欠き２４に設けてもよく、その際は帯板部２３が両係止腕間から抜けない。
【００８７】
・  第８実施形態において、連結部１３の筒部１４の外周と連結部１６の内周との間で一方にＮ極の磁石３５を設けるとともに他方にＳ極の磁石３５を設けてもよい。
・  第１，８，９実施形態において、連結部１３の一部または全部を透明にしたり連結部１３に窓孔を設けたりすれば、連結部１３の外側から連結部１３を通して連結部１６を見ながら両連結部１３，１６を互いに連結することができる。
【００８８】
・  ポンプ機能を持たせた弾性部により、液状やジェル状のシェービングエイドを剃刀ヘッドに供給するようにしてもよい。例えば、使用時の首振りに合わせてシェービングエイドが皮膚面や剃刀ヘッドに供給されたり、使用直前に剃刀ヘッドを手で動かして、剃刀ヘッドにシェービングエイドを供給してから剃り始めてもよい。
【００８９】
・  第１０実施形態において、キャップ４６に係止腕を設け、キャップ４６を剃刀ヘッド７に被せた際にそのキャップ４６の係止腕を頭部３の支持部６に係止して、剃刀ヘッド７の首振りを規制するようにしてもよい。
【００９０】
・  頭部３と剃刀ヘッド７との間に係脱し得る切替部材を設けて、剃刀ヘッド７を首振り可能状態と首振り不能状態とに切り替えることができるようにしてもよい。
【符号の説明】
【００９１】
１…ホルダ、２…把持部、３…頭部、５…指当部、６…支持部、６ａ…支持部の環状部、７…剃刀ヘッド、８…刃体組付部、９…刃体、１０…剃刀ヘッドの被支持部、１１…支持部の支持孔、１２…弾性板（弾性部）、１２ａ…弾性板の環状部、１３，１６…連結部、１９，４３，４４，４５…撓み許容部、Ｐ…中立位置。
【図１】
0005860707.tif 000002
【図２】
0005860707.tif 000003
【図３】
0005860707.tif 000004
【図４】
0005860707.tif 000005
【図５】
0005860707.tif 000006
【図６】
0005860707.tif 000007
【図７】
0005860707.tif 000008
【図８】
0005860707.tif 000009
【図９】
0005860707.tif 000010
【図１０】
0005860707.tif 000011
【図１１】
0005860707.tif 000012
【図１２】
0005860707.tif 000013
【図１３】
0005860707.tif 000014
【図１４】
0005860707.tif 000015